(57)【要約】【課題】より容易に開閉可能であって、長期の使用によっても蓋の機能が低減しにくく、より確実に収納物を保持することができる蓋構造物及び蓋付容器を提供する。【解決手段】  本発明の一観点に係る蓋構造物は、一対の第一の回転軸と、回転軸に回転自在に接続される一対の第一の蓋部材と、第一の蓋部材それぞれに設けられる第二の回転軸を中心に回転可能に接続される一対の第二の蓋部材と、を備え、一対の第二の蓋部材はそれぞれ第一の辺を備え、一対の第一の蓋部材及び一対の第二の蓋部材は、第一の状態では第一の辺同士が接して第一の領域を覆い、第二の状態では一対の第一の蓋部材が回転することにより第一の領域の少なくとも一部を露出させるものである。【選択図】  図１
2020026274.tif 000002
【特許請求の範囲】
【請求項１】
一対の第一の回転軸と、
前記回転軸に回転自在に接続される一対の第一の蓋部材と、
前記第一の蓋部材それぞれに設けられる第二の回転軸を中心に回転可能に接続される一対の第二の蓋部材と、を備え
前記一対の第二の蓋部材はそれぞれ第一の辺を備えており、
前記一対の第一の蓋部材及び前記一対の第二の蓋部材は、第一の状態では前記第一の辺同士が接しつつ第一の領域を覆い、第二の状態では前記一対の第一の蓋部材が回転することにより前記第一の領域の少なくとも一部を露出させる、蓋構造物。
【請求項２】
前記第二の回転軸は、前記第一の回転軸の軸方向に対し垂直な面内にある請求項１記載の蓋構造物。
【請求項３】
前記第二の蓋部材は、前記一対の第二の蓋部材同士を接続させる接続部材を備えている請求項１記載の蓋構造物。
【請求項４】
前記第一の回転軸と前記第一の蓋部材の端点の最大距離は、前記一対の回転軸間の距離の２分の１以下であり、
前記接続部材は、前記第一の回転軸と前記第二の蓋部材の端点の最大距離の位置にある請求項３記載の蓋構造物。
【請求項５】
底部材と、前記底部材を囲む囲部材と、を備えた収納部材と、
前記収納部材の前記囲部材に設けられる一対の回転軸と、前記回転軸に回転自在に接続される一対の第一の蓋部材と、前記第一の蓋部材それぞれに設けられる第二の回転軸を中心に回転可能に接続される一対の第二の蓋部材と、を備え、前記一対の第二の蓋部材はそれぞれ第一の辺を備えており、前記一対の第一の蓋部材及び前記一対の第二の蓋部材は、第一の状態では第一の辺同士が接して前記囲部材の開口部を覆い、第二の状態では前記一対の第一の蓋部材が回転することにより前記開口部の少なくとも一部を露出させる、蓋付容器。
【発明の詳細な説明】
【技術分野】
【０００１】
本発明は蓋構造物及びこれを備えた蓋付容器に関する。
【背景技術】
【０００２】
様々な物を収納する収納容器は蓋を備えており、この蓋によって収納容器内に収納された物を保護することができる。
【０００３】
収納容器とこれを覆う蓋を備えたものの例としては、例えば下記特許文献１で示すように、収納容器の縁に可撓性のある樹脂の蓋を備えた、いわゆるタッパー等が例示できる。例えばこのようなタッパーは、収納容器の開口部周縁に設けられた突起と、この突起に合わせた溝が形成された蓋とを組み合わせて密封性を確保することができる。このいわゆるタッパーは密封性に優れているため、食物等の保存に好適である。
【０００４】
また、名刺等を入れる容器として金属製の名刺入れ等がある。一般的な金属製の名刺入れは、収納容器と蓋を備え、蓋は収納容器及び蓋の端部を貫通する軸部材とを備えており、軸部材を中心に回転し、蓋を開閉することができる。この例としては、例えば下記特許文献２に例示がある。
【先行技術文献】
【特許文献】
【０００５】
【特許文献１】特開平９−１１００５８号公報
【特許文献２】特開２０１２−８２０１１号公報
【発明の概要】
【発明が解決しようとする課題】
【０００６】
しかしながら、例えば上記特許文献１に記載の技術は、蓋が可撓性を備えているため密封性に優れた効果を有しているが、蓋の開閉は突起と溝を慎重に嵌め合わせる必要があり、手間がかかるといった課題がある。特に密封性がそこまで必要ないものを収納する場合は利点があまりない。
【０００７】
また、上記特許文献２に記載の技術では、開閉のために蓋と容器に対して引掛ける部分が必要であり、この部分は使用によって緩みやすく、緩むことにより蓋の機能は大幅に低減してしまう。
【０００８】
そこで、本発明は、上記課題に鑑み、より容易に開閉可能であって、長期の使用によっても蓋の機能が低減しにくく、より確実に収納物を保持することができる蓋構造物及び蓋付容器を提供することを目的とする。
【課題を解決するための手段】
【０００９】
本発明者は、上記課題について鋭意検討を行ったところ、蓋を複数の部材で構成し、一の部材を収納容器の開口面上に回転させつつ、他の部材を開口面から浮き上がるように回転移動させることで、多数回の使用によっても蓋の機能が低減しにくく、より確実に収納物を保持し、より容易に開閉可能であることを発見し、本発明を完成させた。
【００１０】
すなわち、上記課題を解決する本発明の一観点に係る蓋構造物は、一対の第一の回転軸と、回転軸に回転自在に接続される一対の第一の蓋部材と、第一の蓋部材それぞれに設けられる第二の回転軸を中心に回転可能に接続される一対の第二の蓋部材と、を備え、一対の第二の蓋部材はそれぞれ第一の辺を備え、一対の第一の蓋部材及び一対の第二の蓋部材は、第一の状態では第一の辺同士が接して第一の領域を覆い、第二の状態では一対の第一の蓋部材が回転することにより第一の領域の少なくとも一部を露出させるものである。
【００１１】
また、上記課題を解決する本発明の他の一観点に係る蓋付容器は、収納部材と、蓋構造物と、を備えており、収納部材は底部材と、底部材を囲む囲部材と、を備えており、蓋構造物は、収納部材の囲部材に設けられる一対の回転軸と、回転軸に回転自在に接続される一対の第一の蓋部材と、第一の蓋部材それぞれに設けられる第二の回転軸を中心に回転可能に接続される一対の第二の蓋部材と、を備え、一対の第二の蓋部材はそれぞれ第一の辺を備え、一対の第一の蓋部材及び一対の第二の蓋部材は、第一の状態では第一の辺同士が接して囲部材の開口部を覆い、第二の状態では一対の第一の蓋部材が回転することにより開口部の少なくとも一部を露出させるものである。
【発明の効果】
【００１２】
以上、本発明によって、より容易に開閉可能であって、長期の使用によっても蓋の機能が低減しにくく、より確実に収納物を保持することができる蓋構造物及び蓋付容器を提供することができる。
【図面の簡単な説明】
【００１３】
【図１】本実施形態に係る蓋付容器の概略斜視図（閉じた状態）である。
【図２】本実施形態に係る蓋付容器の概略斜視図（開いた状態）である。
【図３】本実施形態に係る蓋付容器の分解概略図である。
【図４】本実施形態に係る蓋付容器の開閉におけるイメージ図である。
【図５】本実施形態に係る蓋付容器の第一の蓋部材及び第二の蓋部材の関係を示す図である。
【図６】実際に作成した蓋付容器の写真図である。
【発明を実施するための最良の形態】
【００１４】
以下、本発明の実施形態について、図面を用いて詳細に説明する。ただし、本発明は多くの異なる形態による実施が可能であり、以下に示す実施形態、実施例に記載された具体的な例示にのみ限定されるわけではない。
【００１５】
図１は、本実施形態に係る蓋付容器（以下「本容器」という。）１の概略斜視図であって、蓋付容器が閉じた状態を、図２は、同様であるが蓋付容器が開いた状態をそれぞれ示している。また、図３は、本容器１の分解概略図である。
【００１６】
まず、本容器１は、本図で示すように、収納部材２と、蓋構造物３とを有している。収納部材２は、文字通り、収納対象物を収納するための窪みのある空間（以下「収納空間」という。）を備えた部材であり、蓋構造物３は、この収納対象物を保護するために収納空間を閉じた空間とするための蓋である。
【００１７】
本容器１における収納部材２は、底部材２１と、底部材２１を囲む囲部材２２と、を備えている。底部材２１と囲部材２２とは別々に形成されていてもよいが一体に形成されていてもよい。なお囲部材２２には、後述の記載から明らかであるが、一対の回転軸を設ける必要から、ある程度の幅（厚み）を備えていることが好ましい。また、本明細書では、この囲部材２２の上端面により形成される縁取り部分及びその内部を開口部と表現し、開口部の形成する面を開口面２３と表現する。
【００１８】
本容器１における収納部材２の材質は、安定的に形状を保持することができる限りにおいて限定されず、例えば樹脂、金属等を採用することができるが、回転をより円滑に行わせる観点及び形状安定性の観点から金属であることが好ましい。
【００１９】
本容器１における蓋構造物３は、収納部材２の囲部材２２に固定して設けられる一対の第一の回転軸３１ａ、３１ｂと、この回転軸３１に回転自在に接続される一対の第一の蓋部材３２（３２ａ、３２ｂ）と、第一の蓋部材３２ａ、３２ｂそれぞれに設けられる第二の回転軸３３ａ、３３ｂを中心に回転可能に接続される一対の第二の蓋部材３４ａ、３４ｂと、を備えている。また、一対の第二の蓋部材３４ａ、３４ｂはそれぞれ第一の辺３４１ａ、３４１ｂ及び第二の辺３４２ａ、３４２ｂを備えている。また、一対の第一の蓋部材３２及び一対の第二の第二の蓋部材３４は、第一の状態では第一の辺３４１ａ、３４１ｂ同士が接して囲部材２２の開口部２３を覆い、第二の状態では第二の辺３４２ａ、３４２ｂ同士が接することにより開口部２３の少なくとも一部を露出させるものである。
【００２０】
蓋構造物３における一対の第一の回転軸３１ａ、３１ｂは、上記の通り、収納部材２の囲部材２２の上端面（縁面）に固定して設けられるものである。なお一対の第一の回転軸３１ａ，３１ｂの延伸方向は、それぞれ、開口面に対して略垂直である。このようにすることで、後述の記載から明らかであるが、第一の蓋部材を開口面に対して略平行に回転させることができる。またここで「略垂直」は完全に垂直を含む概念であるが、製造誤差を含むことを許容する表現であり、具体的には５度程度の誤差を含む概念である。また、「略平行」も、完全に平行を含む概念であるが、製造誤差を含むことを許容する表現であり、具体的には５度程度の誤差を含む概念である。
【００２１】
第一の回転軸３１ａ、３１ｂの位置は特に限定されるわけではないが、囲部材２２の何れか一辺の対向する位置に離れて配置されていることが好ましいが特に限定されず、例えば対向する角に形成されていてもよい。
【００２２】
また蓋構造物３における一対の第一の蓋部材３２ａ、３２ｂはそれぞれが上記第一の回転軸３１ａ、３１ｂに支持されており、この回転軸３１ａ、３１ｂを中心に回転することができる。なお、この回転面は、囲部材２２の上端面でもあり、開口面でもある。
【００２３】
また、蓋構造物３における第一の蓋部材３２ａ、３２ｂのそれぞれは、更に、第二の回転軸３３ａ、３３ｂを介して、第二の蓋部材３４ａ、３４ｂと組み合わされて一体となっている。すなわち一方の第一の蓋部材３２ａと一方の第二の蓋部材３４ｂは一方の第二の回転軸３３ａを介して一体となり、他方の第一の蓋部材３２ｂと他方の第二の蓋部材３４ｂは、他方の第二の回転軸３３ｂを介して一体となっている。
【００２４】
また、蓋構造物３における第二の回転軸３３ａ、３３ｂは、上記の記載から明らかなように、第一の部材３３ａ、３３ｂに設けられており、第二の蓋部材３４ａ、３４ｂの回転中心となるものである。より具体的には、第二の回転軸３３ａ、３３ｂはそれぞれ、第一の蓋部材３２ａ、３２ｂ及び第二の蓋部材３４ａ、３４ｂのそれぞれを貫通する。
【００２５】
また、第二の回転軸３３ａ、３３ｂは、第一の蓋部材３２ａ、３２ｂの回転面に対して第二の蓋部材３４ａ、３４ｂを折り曲げるよう回転させるために用いられるものである。この限りにおいて限定されるわけではないが、第二の回転軸３３ａ、３３ｂの軸方向は、第一の回転軸の軸方向に対し略垂直な面内にある（第一の回転軸の軸方向と略垂直な面と平行となっている）ことが好ましい。このようにすることで、第一の蓋部材３２ａ、３２ｂの回転を妨げることなく、第二の蓋部材３４ａ、３４ｂを安定的に折り曲げることが可能となる。本容器１の開閉におけるイメージ図を図４に示しておく。
【００２６】
また、第二の蓋部材３４ａ、３４ｂは、繰り返しとなるが、上記の記載から明らかなように、第一の蓋部材３２ａ，３２ｂと組み合わされて、蓋として機能するものである。
【００２７】
より具体的に説明すると、一対の第二の蓋部材３４ａ、３４ｂはそれぞれ第一の辺３４１ａ、３４１ｂ及び第二の辺３４２ａ、３４２ｂを備えており、第一の蓋部材３２ａ、３２ｂの回転位置に応じて第一の状態、第二の状態を取りうる。そして、第一の状態（例えば図１の状態）では、一対の第一の蓋部材及び一対の第二の蓋部材は、第一の辺３４１ａ、３４１ｂ同士が接して囲部材２２の開口部２３を覆い、第二の状態（例えば図２の状態）では、第一の蓋部材が回転し（これに伴い第二の蓋部材も回転し）、第二の蓋部材の第二の辺３４２ａ、３４２ｂ同士が接することにより位置が変わり、開口部２３の少なくとも一部を露出させるものである。これにより、収納部材を開状態、閉状態のいずれかとすることが可能となる。
【００２８】
本容器１の蓋構造物の動作については、上記の構造から明らかであるが、改めて具体的に説明すると、第一の状態においては、一対の第一の蓋部材及び一対の第二の蓋部材は同一の平面にあり、これらが更に第一の辺３４１ａ、３４１ｂが接した状態となっており、安定的に収納部材の開口部を閉じることができる。
【００２９】
そして、使用者は、本容器１の蓋構造物（具体的には第一の蓋部材）を回転させて収納容器の開口部を露出させようとすると、この蓋構造物の一対の蓋部分（具体的には第二の蓋部材）は互に衝突しあうこととなるため、そのままでは回転できない。
【００３０】
しかしながら、本容器１の蓋構造物では、第二の蓋部材は第二の回転軸により回転面から浮き上がらせることが可能である。このため、第一の蓋部材を回転させたとしても、蓋部分が衝突することにより回転を阻害することがない。よって、安定的に回転させることができる。
【００３１】
そして、本容器１の蓋構造物は、第一の蓋部材がある程度回転（及びこの回転に伴い第二の蓋部材も回転）した後、安定的な第二の状態となる。具体的には、上記の通り、第二の蓋部材にある第二の辺３４２ａ、３４２ｂ同士が接する状態となる。この状態は、蓋部分（具体的には第一の蓋部材）が回転したことにより開口部２３の少なくとも一部が露出した状態となっている。
【００３２】
なお、本実施形態では、第二の状態においても整った形状を維持する観点から第二の辺を設け、この第二の状態において第二の辺同士が接する状態となっているが、第二の辺は備えていなくとも、開口部の少なくとも一部を露出させることができる状態であれば問題はない。
【００３３】
ところで、第二の蓋部材３４ａ、３４ｂには、一対の第二の蓋部材同士３４ａ、３４ｂを接続させる接続部材３５を備えていることが好ましい。一対の第二の蓋部材同士を一点において接続させておくことで、第二の蓋部材が第一の蓋部材に対して回転した場合に、想定以外の方向に回転してしまわないようにしておくことができる。
【００３４】
この接続部材３５の構成としては、特に限定されるわけではないが、例えば先端が丸い部分を備える磁石であることは好ましい形態であり、より好ましくは埋め込まれる球形の磁石である。このようにすることで、第二の蓋部材の回転量によらず常に点で接触させてことが可能であり、安定的な接続力を維持することができる。特に、一対の第二の蓋部材の間に無理な力が加わった場合、これらを分離させることで、壊れてしまうことを防ぐことが可能となる。
【００３５】
また、この接続部材３５を設ける位置としては、第二の蓋部材の頂点又は辺と第一の回転軸との距離のうち最も長い位置（第一の回転軸から最も遠い位置）に設けておくことが好ましい。この位置が回転において最も長い径となり回転において障害となる位置であるため、この位置に接続部材を設けておくことで回転を阻害する恐れを最も少なくすることができる。
【００３６】
なお、上記の記載からも明らかであるが、第一の蓋部材及び第二の蓋部材の形状は、第一の状態及び第二の状態において安定的に開口部を開閉できる形状であれば限定されるわけではなく、例えば収納部材の開口部が長方形や正方形等の四角形である場合、一方の第一の蓋部材及び第二の蓋部材の組と他方の第一の蓋部材及び第二の蓋部材の組が組み合わされてこの形状となっていることが好ましく、より好ましくはそれぞれ同じ形状で二等分した四角形状である（図１、２等参照）。なお、収納部材の開口部が円形状である場合は、一方の第一の蓋部材及び第二の蓋部材の組と他方の第一の蓋部材及び第二の蓋部材の組がそれぞれ半円状となっていることで実現できる。なおこの場合において、一対の第一の蓋部材同士は回転によって互いに衝突しないようにしておくこと、具体的には、一対の第一の回転軸間の距離が、第一の回転軸と第一の蓋部材の端部（最遠端部）のそれぞれの距離（最大距離）の和以上となっていることが必要であり、接続部材は、第一の回転軸と第二の蓋部材の端点の最大距離の位置にあることが好ましい。なお、一対の第一の蓋部材及び一対の第二の蓋部材をそれぞれ同じ形状とするのであれば、第一の回転軸と第一の蓋部材の端点の最大距離は、一対の回転軸間の距離の２分の１以下であることが好ましい。このような場合のイメージ図を図５に示しておく。
【００３７】
また、本容器１における蓋構造物の材質は、安定的に形状を保持することができる限りにおいて限定されず、例えば樹脂、金属等を採用することができるが、蓋構造物の回転をより円滑に行わせる観点から金属であることは好ましい一例である。
【００３８】
以上、本容器１によって、より容易に開閉可能であって、長期の使用によっても蓋の機能が低減しにくく、より確実に収納物を保持することができる蓋構造物及び蓋付容器を実現できる。
【００３９】
本容器の効果についてより具体的に説明すると、本容器１では蓋部材（第一の蓋部材及び第二の蓋部材）を回転させるだけの力で開閉するため、上記特許文献１で例示するいわゆるタッパー等よりも非常に簡便に開閉が可能である。また、本容器１では埋め込まれた回転軸によって回転するとともに開閉が可能であるため、上記特許文献２で示す技術のように、蓋部材を変形させることで開閉する必要がなく、長期の使用によっても蓋の機能が低減しにくい。さらに、本方法では、第一の蓋部材を開口部の開口面上で回転させるとともに、第二の蓋部材を持ち上げる方向に回転させるという、二方向の回転を加えているため、一方の回転を制限することで蓋が意図せず開いてしまうことを防止できるといった利点がある。なお、本容器では第二の蓋部材を回転させる方向に力を加えることで容易に第一の蓋部材の回転も連動することになるため、二方向の回転を行うための力を無理に生じさせる必要がない。
【００４０】
なお、本実施形態では容器を好ましい例にとして蓋付容器の例を示しているが、収納容器ではなく、単なる開閉物としての蓋構造物としても利用可能である。
【実施例】
【００４１】
ここで、上記蓋付容器について実際に作製し、その効果を確認した。以下具体的に説明する。
【００４２】
まず、横１２ｃｍ、縦６ｃｍ、高さ１ｃｍのステンレス製の板に、横９．５ｃｍ、縦５．５ｃｍ、深さ０．５ｃｍの穴を形成し、この穴を収納部分とした収納部材を形成した。
【００４３】
次に、四隅のうち、一方の長編側の相対する一対の端部に貫通孔を形成し、回転軸を挿入し、直角をはさむ辺の長さを６ｃｍとする二等辺直角三角形の第一の蓋部材をそれぞれ回転可能に接続した。
【００４４】
そして、その第一の蓋部材の直角三角形の斜辺に第二の回転軸を介して上記第一の蓋部材と組み合わせるよう、直角をはさむ辺の長さを６ｃｍとする二等辺直角三角形の第二の蓋部材をそれぞれ回転可能に接続した。
【００４５】
また、第二の蓋部材の直角の頂点部分に、磁石を設置し、一対の第二の蓋部の直角の頂点が接続されるようにした。
【００４６】
この結果、図６で示すような蓋付容器を製造した。そして、これに対し開閉動作を確認したところ、滑らかな開閉が可能であることを確認し、本発明の効果について確認できた。
【産業上の利用可能性】
【００４７】
以上、本発明は、蓋構造物及びこれを備える蓋付容器として産業上の利用可能性がある。
【図１】
2020026274.tif 000003
【図２】
2020026274.tif 000004
【図３】
2020026274.tif 000005
【図４】
2020026274.tif 000006
【図５】
2020026274.tif 000007
【図６】
2020026274.tif 000008